(57)【特許請求の範囲】
【請求項１】
車体上に搭載された塵芥収容箱と、該塵芥収容箱の後方開口部に連接され、内部に塵芥積込装置を装備した塵芥投入箱とを備えた塵芥収集車であって、
上記塵芥積込装置は、上記塵芥投入箱内において摺動シリンダの伸縮動作により上下方向に摺動自在な摺動板と、該摺動板の下端部に揺動シリンダの伸縮動作により前後方向に揺動自在な押込板とを備え、
上記摺動シリンダ及び揺動シリンダの伸縮動作により摺動板と押込板とが反転、下降、圧縮及び上昇を１サイクルとして作動することで、投入口を通じて塵芥投入箱に投入された塵芥を塵芥収容箱に積込むように構成され、
上記摺動シリンダは、上記塵芥投入箱の左右側壁の外方にそれぞれ配置され、
上記摺動板の上端は、上記左右の摺動シリンダのロッド先端と摺動板支持軸によって結合され、
上記塵芥投入箱の左右側壁には、上記摺動板支持軸が移動するための上記摺動板の摺動方向に伸びる摺動用開口が形成され、
上記摺動板の左右側面には、上記摺動用開口を塞ぐためのカバー部材が設けられ、
上記摺動板支持軸が挿通されるボス部には、上記摺動板の摺動方向に伸びる補強リブが設けられ、
上記摺動シリンダが伸びて摺動板が最上位置にあるときに、上記カバー部材及び上記補強リブが上記摺動用開口を内側から塞ぐように構成されている
ことを特徴とする塵芥収集車。
【請求項２】
請求項１に記載の塵芥収集車において、
上記摺動用開口を塞ぐためのカバー部材は、上記補強リブに設けられている
ことを特徴とする塵芥収集車。
【請求項３】
請求項１又は２に記載の塵芥収集車において、
上記カバー部材は、布入りコンベアベルトを切断して形成される
ことを特徴とする塵芥収集車。
【発明の詳細な説明】
【技術分野】
【０００１】
本発明は、車体上に搭載された塵芥収容箱と、この塵芥収容箱の後方開口部に連接され、内部に塵芥積込装置を装備した塵芥投入箱とを備えた塵芥収集車に関するものである。
【背景技術】
【０００２】
従来より、車体上に搭載された塵芥収容箱と、この塵芥収容箱の後方開口部に連接され、内部に塵芥積込装置を装備した塵芥投入箱とを備え、塵芥積込装置は、上記塵芥投入箱内において摺動シリンダの伸縮動作により上下方向に摺動自在な摺動板と、該摺動板の下端部に揺動シリンダの伸縮動作により前後方向に揺動自在な押込板とを備え、上記摺動シリンダ及び揺動シリンダの伸縮動作により摺動板と押込板とが反転、下降、圧縮、上昇を１サイクルとして作動することで、投入口を通じて塵芥投入箱に投入された塵芥を塵芥収容箱に積込むように構成され塵芥収集車は知られている（例えば、特許文献１参照）。
【特許文献１】特開２００４−２４４１９０号公報
【発明の開示】
【発明が解決しようとする課題】
【０００３】
しかしながら、従来の塵芥収集車では、摺動シリンダは、塵芥投入箱の左右側壁の外方にそれぞれ配置され、摺動板の上端は、左右の摺動シリンダのロッド先端と摺動板支持軸によって結合されているので、摺動板支持軸が上下に移動するために、塵芥投入箱の左右側壁には、摺動板の摺動方向に沿って伸びる摺動用開口が形成されている。
【０００４】
このため、塵芥投入箱内の塵芥、例えば、発泡スチロール、ビニール袋等の樹脂製塵芥が摺動用開口から漏れだし、摺動シリンダに付着する場合がある。摺動シリンダには、通常ダストシールが設けられ、シリンダロッドに付着した塵芥がシリンダ内に入らないように構成されている。しかし、樹脂製塵芥が、シリンダロッドに付着したときに、繰り返し伸縮された摺動シリンダの持つ熱により溶ける場合があり、これら溶着した塵芥により、シリンダのシールが破損し、摺動シリンダから油が漏れるという問題があった。
【０００５】
また、溶着した塵芥が摺動シリンダのシールを通り過ぎ、シリンダの作業油に混入する場合もあり、そのときには、油圧回路に設けたフィルタにこれら塵芥が付着し、油圧ポンプのキャビテーションなど油圧機器に各種の問題を引き起こしていた。
【０００６】
本発明は、かかる点に鑑みてなされたものであり、その目的とするところは、簡単な構成により塵芥投入箱内の塵芥が漏れ出すのを阻止して、摺動シリンダからの油漏れを防止することにある。
【課題を解決するための手段】
【０００７】
上記の目的を達成するために、この発明では、摺動板支持軸が移動するための摺動用開口をカバー部材で塞ぐようにした。
【０００８】
具体的には、第１の発明では、車体上に搭載された塵芥収容箱と、該塵芥収容箱の後方開口部に連接され、内部に塵芥積込装置を装備した塵芥投入箱とを備えた塵芥収集車を対象とする。
【０００９】
上記塵芥積込装置は、上記塵芥投入箱内において摺動シリンダの伸縮動作により上下方向に摺動自在な摺動板と、該摺動板の下端部に揺動シリンダの伸縮動作により前後方向に揺動自在な押込板とを備え、
上記摺動シリンダ及び揺動シリンダの伸縮動作により摺動板と押込板とが反転、下降、圧縮及び上昇を１サイクルとして作動することで、投入口を通じて塵芥投入箱に投入された塵芥を塵芥収容箱に積込むように構成され、
上記摺動シリンダは、上記塵芥投入箱の左右側壁の外方にそれぞれ配置され、
上記摺動板の上端は、上記左右の摺動シリンダのロッド先端と摺動板支持軸によって結合され、
上記塵芥投入箱の左右側壁には、上記摺動板支持軸が移動するための摺動用開口が形成され、
上記摺動板の左右側面には、上記摺動用開口を塞ぐためのカバー部材が設けられている。
【００１０】
すなわち、塵芥投入箱の左右側壁に設けた摺動用開口は、摺動板支持軸が移動するために必須なものであるが、この摺動用開口から塵芥投入箱内の塵芥が漏れ出す場合がある。しかし、上記の構成によると、摺動板の左右側面に設けたカバー部材が摺動用開口を内側から覆っているため、摺動板に塵芥が付着していても、塵芥投入箱外に漏れ出すことはない。また、摺動板の左右側面にカバー部材を設けてカバー部材を摺動板と一緒に移動させるようにしているので、容易に摺動板の摺動を阻害しないように構成することができる。したがって、簡単な構造により、シリンダロッドに塵芥が付着するのを阻止して、摺動シリンダからの油漏れを防ぐことができる。また、溶着した塵芥が摺動シリンダのシールを通り過ぎてシリンダの作業油に混入して油圧回路に設けたフィルタにこれら塵芥が付着することはない。
【００１１】
第２の発明では、上記摺動用開口は、摺動板の摺動方向に伸び、
上記摺動シリンダが伸びて摺動板が最上位置にあるときに、上記カバー部材が上記摺動用開口を内側から塞ぐように構成されている。
【００１２】
すなわち、摺動シリンダが伸びて最上位置にある状態で、塵芥収集車が走行したり、塵芥の投入作業をしたり、待機したりするので、塵芥投入箱内の塵芥が摺動用開口から漏れ出しやすいが、上記の構成によると、摺動板が最上位置の状態で、カバー部材が摺動用開口を内側から塞ぐように構成しているので、効果的に塵芥が漏れ出すのが阻止され、摺動シリンダからの油漏れが防止される。また、溶着した塵芥が摺動シリンダのシールを通り過ぎてシリンダの作業油に混入して油圧回路に設けたフィルタにこれら塵芥が付着することはない。
【００１３】
第３の発明では、上記カバー部材は、上記摺動板支持軸が挿通されるボス部を補強する補強リブに設けたカバー用ブラケットに取り付けられている。
【００１４】
上記の構成によると、従来よりある補強リブにカバー用ブラケットを取り付けているので、摺動板周辺のスペースを有効に利用することができ、カバー部材が摺動板の摺動を阻害しない最適な位置に配置される。
【００１５】
第４の発明では、上記カバー部材は、ゴム製とする。
【００１６】
上記の構成によると、カバー部材をゴム製とすることにより、カバー部材を柔軟性に富むものとすることができ、多少、塵芥が付着しても、カバー部材は、摺動板の摺動を阻害しない。また、耐久性の高いゴム材料を選択することで、痛みにくくすることができる。
【００１７】
第５の発明では、上記摺動シリンダのロッド先端には、一端が上記塵芥投入箱の摺動用開口の上端近傍に取り付けた伸縮自在な蛇腹部材の他端が取り付けられている。
【００１８】
上記の構成によると、蛇腹部材により、摺動シリンダのシリンダロッドが縮退しているときにも、摺動用開口が覆われるので、塵芥投入箱から塵芥が漏れ出すのをさらに効果的に防ぐことができる。
【発明の効果】
【００１９】
以上説明したように、本発明によれば、摺動板支持軸が移動するための摺動用開口を摺動板の左右側面に設けたカバー部材により、塞ぐようにしている。このため、摺動板の上端等に塵芥が付着していても、塵芥投入箱外に漏れ出すことはなく、簡単な構造により、シリンダロッドに塵芥が付着するのを阻止して、摺動シリンダからの油漏れを防ぐことができる。また、溶着した塵芥が摺動シリンダのシールを通り過ぎてシリンダの作業油に混入することはないので、油圧回路に設けたフィルタにこれら塵芥が付着して油圧ポンプのキャビテーションなど油圧機器に各種の問題を引き起こすのを防ぐことができる。
【発明を実施するための最良の形態】
【００２０】
以下、本発明の実施形態を図面に基づいて説明する。
【００２１】
図１は、本発明の実施形態にかかる塵芥収集車の概略構成を示している。図１において、塵芥収集車１の車体２上に塵芥収容箱３が搭載されている。この塵芥収容箱３の後方開口部４には、その上方で投入箱支持ピン５により軸支された塵芥投入箱６が設けられている。この塵芥投入箱６は、塵芥収容箱３と塵芥投入箱６との間に設けられた図示しない回動シリンダにより、投入箱支持ピン５を中心に回動自在に構成されている。
【００２２】
塵芥投入箱６の後部には投入口７が開口され、その内部には塵芥積込装置３０が装備されている。塵芥積込装置３０は、塵芥投入箱６内に投入口７を通じて投入された塵芥を圧縮して塵芥収容箱３内に積込むためのものである。
【００２３】
図２にも示すように、塵芥投入箱６の両側壁には溝型鋼で形成された案内溝部材８が補強枠を兼ねて前方上部より後方下部に向かって敷設されている。塵芥投入箱６内にはその横幅一杯に広がる摺動板１０が収容されている。この摺動板１０の両側縁の上下には、案内ローラ１１が回転可能に設けられている。これらの案内ローラ１１は、上記案内溝部材８の内壁に沿って摺動自在に嵌入されている。
【００２４】
上記摺動板１０の背面上部の左右端部に設けたボス部２０には、摺動板支持軸１２が挿通されている。この摺動板支持軸１２が摺動板１０の摺動距離に合致して塵芥投入箱６の側壁に形成された摺動用開口３１を越えて塵芥投入箱６の内側より外側に突出するように配置されている。
【００２５】
塵芥投入箱６の側壁から外側に突出した摺動板支持軸１２と塵芥投入箱６の下部間には、塵芥投入箱６の外側で案内溝部材８の傾斜方向に沿って設けられた摺動シリンダ１３（図２に二点差線で示す）が連結されている。この摺動シリンダ１３の伸縮作動によって摺動板１０を案内溝部材８に沿って上下に往復移動させるようにしている。
【００２６】
図１に示すように、上記摺動板１０の下端には、塵芥投入箱６の横幅一杯に広がる押込板１５が前後に揺動自在に支持されている。この押込板１５の先端は前方に向かって若干屈折形成されている。上記押込板１５の背面に突設した接続部１５ａと上記摺動板１０の背面上部に設けられた摺動板支持軸１２との間には、揺動シリンダ１４が連結され、この揺動シリンダ１４の伸縮作動によって上記押込板１５を前後に揺動させるようにしている。
【００２７】
上記塵芥収容箱３内には排出板１７が前後方向に摺動自在に配設されている。排出板１７は、塵芥収容箱３の横幅及び上下高さと略同じ大きさに形成された板状体であり、図示しない排出シリンダの伸縮動作により塵芥収容箱３内を前後に摺動するようになされている。
【００２８】
図２及び図３に示すように、上記摺動板１０のボス部２０周辺には、ボス部２０から摺動板１０の摺動方向に伸び、側面視でなだらかな円弧状の外縁を有する補強リブ２１が形成されている。この補強リブ２１には、補強リブ２１の外縁に沿う円弧部分２２ａと直線部分２２ｂとを備えたカバー取付用部材２２が溶接されている。なお、このカバー取付用部材２２を設けることなく、補強リブ２１の外縁に直接後述するアングル２４を取り付けてもよい。
【００２９】
上記カバー取付用部材２２の上端には、取付プレート２３がカバー取付用部材２２に対して垂直に溶接され、その取付プレート２３にアングル（等辺山形鋼）２４が溶接されている。アングル２４は、複数（本実施形態では、５つ）のボルト挿通孔２４ａを備え、ゴム製のカバー部材２６が取り付けられている。カバー取付用部材２２、取付プレート２３及びアングル２４がカバー用ブラケット２５を構成している。カバー用ブラケット２５の構成は、本実施形態のものに限定されず、要は、摺動板１０の摺動を阻害しないコンパクトな形状であればよい。
【００３０】
カバー部材２６は、例えば、剛性の高い布入りコンベアベルトを切断して形成され、上記摺動用開口３１に沿い、該摺動用開口３１と側面視で重複する部分を有する外縁部２６ａと、上記カバー取付用部材２２の直線部分２２ｂに沿う直線状の取付部２６ｂとを備え、先端に向けて尖った形状を有するものとなっている。取付部２６ｂには、複数（本実施形態では、５つ）のボルト挿通孔２６ｃが形成されている。
【００３１】
上記アングル２４及びカバー部材２６のボルト挿通孔２４ａ，２６ｃと、カバー部材２６を外側から押し付ける薄板棒状の押付部材２７のボルト挿通孔２７ａにボルト５０を挿通し、アングル２４側からナット５１を締結することにより、カバー部材２６がアングル２４（カバー用ブラケット２５）に取り付けられている。
【００３２】
このように構成することで、摺動板１０が最上端にあるときにカバー部材２６が摺動用開口３１を塞ぐようになっている。
【００３３】
−塵芥積込装置の運転動作−
このように構成された塵芥積込装置３０は、図４に示すように、摺動シリンダ１３、揺動シリンダ１４がいずれも伸長して摺動板１０が上昇終了位置（最上位置）にある状態で、投入口７を通して塵芥５５を塵芥投入箱６内に投入し、図示しない始動スイッチをＯＮ操作することで、積込動作を開始する。なお、図４乃至図７において、簡略化のために摺動シリンダ１３は、省略している。
【００３４】
まず、図４に示す状態で揺動シリンダ１４が縮退作動して押込板１５が反転作動し、反転終了位置（図５参照）に達する（反転工程）。この後、摺動シリンダ１３が縮退作動して摺動板１０が下降し、これに伴って押込板１５が下降工程に移行する。
【００３５】
次に、押込板１５が下降終了位置（図６参照）に達すると、揺動シリンダ１４を伸長させて押込板１５を前方に揺動させ圧縮工程に移行する。
【００３６】
そして、押込板１５が最前方位置（図７参照）まで揺動すると、摺動シリンダ１３を伸長させて押込板１５を上昇させることによって上昇工程に移行し、この押込板１５が上昇終了位置に達すると（図４参照）、一連の積込動作を終了する。
【００３７】
これにより反転、下降、圧縮、上昇の各工程を１サイクルとした塵芥積込動作を繰り返して行うことができる。
【００３８】
また、塵芥収容箱３に塵芥５５を積込む際において、塵芥収容箱３内の排出板１７は、最後方位置に配置されており、上記塵芥積込装置３０により積込まれる塵芥５５が排出板１７を押圧する力が所定以上に達した際に、排出シリンダが縮退することで徐々に前方に移動する。このような排出板１７の移動動作によって塵芥５５を圧縮しながら積込むことができる。
【００３９】
そして、このように塵芥５５を積込んで塵芥収容箱３が満杯状態になると、塵芥５５の排出作業に移る。すなわち、塵芥収集車１を塵芥処理場等へ移動させた後、回動シリンダを伸長させ、塵芥投入箱６を投入箱支持ピン５を中心にして上方に回動させて塵芥収容箱３の後部を開放状態にした後、排出シリンダを伸長させ、塵芥収容箱３の前部に位置する排出板１７を後方に移動させることで、この塵芥収容箱３内に収容された塵芥５５を排出する。
【００４０】
−カバー部材の作用−
次に、本実施形態にかかるカバー部材２６の作用について説明する。
【００４１】
上述した塵芥積込動作終了後は、摺動板１０は上昇終了位置で待機状態となる。塵芥積込動作を行っていると、摺動板１０には、発泡スチロール、ビニール袋等の塵芥５５が付着する。このため、上昇終了位置において、従来の塵芥収集車１が走行等を行うと、摺動板１０の上端等に付着した塵芥５５が、摺動用開口３１から塵芥投入箱６外に漏れだし、摺動シリンダ１３のシリンダロッド１３ａに付着することがある。特にこの塵芥５５が、樹脂製発泡スチロール、ビニール袋等である場合、繰り返し伸縮されることによりシリンダロッド１３ａが熱を帯びている場合、シリンダロッド１３ａの表面に溶着してしまうことがある。このため、シリンダロッド１３ａに付着した塵芥５５により、摺動シリンダ１３のダストシールなどのシール（図示せず）が破損し、摺動シリンダ１３から油が漏れるという問題があった。
【００４２】
また、溶着した塵芥５５が摺動シリンダ１３のシールを通り過ぎ、摺動シリンダ１３の作業油に混入する場合もあり、そのときには、油圧回路に設けたフィルタ（図示せず）にこれら塵芥５５が付着し、油圧ポンプ（図示せず）のキャビテーションなど油圧機器に各種の問題を引き起こしていた。
【００４３】
しかし、本実施形態では、摺動板１０の上昇終了位置でカバー部材２６が摺動用開口３１を内側から覆っているため、摺動板１０の上端等に塵芥５５が付着していても、塵芥投入箱６外に漏れ出すことはないし、油圧ポンプなどの油圧機器が損傷することもない。
【００４４】
したがって、簡単な構造により、シリンダロッド１３ａに塵芥５５が付着するのが防止され、摺動シリンダ１３の油漏れを防ぐことができる。また、溶着した塵芥５５が摺動シリンダ１３のシールを通り過ぎて摺動シリンダ１３の作業油に混入することはないので、油圧回路に設けたフィルタにこれら塵芥５５が付着して油圧ポンプのキャビテーションなど油圧機器に各種の問題を引き起こすのを防ぐことができる。
【００４５】
また、従来よりある補強リブ２１にカバー用ブラケット２５を取り付けているので、摺動板１０周辺のスペースを有効に利用することができ、カバー部材２６を摺動板１０の摺動を阻害しない最適な位置に配置することができる。
【００４６】
さらに、カバー部材２６をゴム製としたことにより、カバー部材２６は、柔軟性に富むため、多少、塵芥５５が付着しても、摺動板１０の摺動を阻害せず、耐久性の高いゴム材料を選択することで、痛みにくくすることができる。
【００４７】
（その他の実施形態）
本発明は、上記実施形態について、以下のような構成としてもよい。
【００４８】
すなわち、上記シリンダロッド１３ａの先端に、一端が上記塵芥投入箱６の摺動用開口３１の上端近傍に取り付けられた伸縮自在な蛇腹部材の他端を取り付けてもよい。この蛇腹部材により、摺動シリンダ１３のシリンダロッド１３ａが縮退しているときにも、摺動用開口３１が覆われるので、塵芥投入箱６から塵芥５５が漏れ出すのをさらに効果的に防ぐことができる。また、蛇腹部材は、シリンダロッド１３ａの先端側に伸縮自在に設けているので、シリンダロッド１３ａの伸縮動作を阻害しない。
【００４９】
上記実施形態では、カバー部材２６は、ゴム製としているが、金属製や、樹脂製であってもよい。
【００５０】
なお、以上の実施形態は、本質的に好ましい例示であって、本発明、その適用物や用途の範囲を制限することを意図するものではない。
【産業上の利用可能性】
【００５１】
以上説明したように、本発明は、塵芥投入箱内において摺動シリンダの伸縮動作により上下方向に摺動自在な摺動板を備えた塵芥収集車について有用である。
【図面の簡単な説明】
【００５２】
【図１】塵芥収集車の後部を示す側面から見た断面図である。
【図２】塵芥投入箱におけるカバー部材及びその周辺を拡大して示す側面図である。
【図３】図２のIII−III線断面図である。
【図４】塵芥積込装置の上昇終了位置を説明する概略図である。
【図５】塵芥積込装置の反転終了位置を説明する概略図である。
【図６】塵芥積込装置の下降終了位置を説明する概略図である。
【図７】塵芥積込装置の最前方位置の状態を説明する概略図である。
【符号の説明】
【００５３】
１      塵芥収集車
３      塵芥収容箱
４      後方開口部
７      投入口
１０      摺動板
１２      摺動板支持軸
１３      摺動シリンダ
１４      揺動シリンダ
１５      押込板
２０      ボス部
２１      補強リブ
２５      カバー用ブラケット
２６      カバー部材
３０      塵芥積込装置
３１      摺動用開口
【図１】
0004623470.tif 000002
【図２】
0004623470.tif 000003
【図３】
0004623470.tif 000004
【図４】
0004623470.tif 000005
【図５】
0004623470.tif 000006
【図６】
0004623470.tif 000007
【図７】
0004623470.tif 000008